【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
カメラにより撮影して得た撮影画像に基づいてユーザに提供する提供画像を生成する写真撮影遊戯装置であって、
前記撮影画像をユーザが見る画面上に表示して前記提供画像を生成するための前記撮影画像の切り取り範囲を調整する調整手段と、
前記切り取り範囲に対する前記撮影画像の大きさを調整するためのユーザの拡縮操作を受け付ける拡縮操作受付手段と、
前記切り取り範囲に対する前記撮影画像の角度を調整するためのユーザの回転操作を受け付ける回転操作受付手段とを備え、
前記回転操作受付手段は、前記切り取り範囲に対する前記撮影画像の初期状態からの回転角を大きくする方向の第１の回転操作と、前記切り取り範囲に対する前記撮影画像の初期状態からの回転角を小さくする方向の第２の回転操作とを受け付け、
前記拡縮操作受付手段は、前記回転操作受付手段により受け付けた前記回転操作に基づいて、受け付け可能な前記拡縮操作の範囲を調節する、写真撮影遊戯装置。
【請求項２】
前記調整手段は、前記回転操作受付手段により前記第１の回転操作が受け付けられた場合に、自動的に前記切り取り範囲に対する前記撮影画像の大きさを大きくする、請求項１に記載の写真撮影遊戯装置。
【請求項３】
前記拡縮操作受付手段は、前記回転操作受付手段により前記第１の回転操作が受け付けられた場合に、受け付け可能な前記拡縮操作の範囲が小さくなる方向に前記調節を行う、請求項１又は２に記載の写真撮影遊戯装置。
【請求項４】
前記拡縮操作受付手段は、前記回転操作受付手段により前記第２の回転操作が受け付けられた場合に、受け付け可能な前記拡縮操作の範囲が大きくなる方向に前記調節を行う、請求項１から３のいずれか１項に記載の写真撮影遊戯装置。
【請求項５】
前記切り取り範囲に対する前記撮影画像の角度と、前記拡縮操作受付手段により受け付け可能な前記拡縮操作の範囲とを初期状態に戻すユーザのリセット操作を受け付けるリセット操作受付手段をさらに備える、請求項１から４のいずれか１項に記載の写真撮影遊戯装置。
【請求項６】
前記回転操作受付手段は、前記画面上に、レール部分の画像と前記レール部分に沿ってスライド可能なつまみ部分の画像とを含む回転バーを表示し、
前記回転操作は、前記つまみ部分の画像を前記レール部分に沿ってスライドさせる操作である、請求項１から５のいずれか１項に記載の写真撮影遊戯装置。
【請求項７】
前記拡縮操作受付手段は、前記画面上に、受け付け可能な前記拡縮操作の範囲を示す表示を行う、請求項１から６のいずれか１項に記載の写真撮影遊戯装置。
【請求項８】
前記回転操作受付手段は、前記撮影画像の種類又は縦横比に応じて、前記回転操作を受け付けない、請求項１から７のいずれかに記載の写真撮影遊戯装置。
【請求項９】
カメラにより撮影して得た撮影画像に基づいてユーザに提供する提供画像を生成する写真撮影遊戯装置の制御方法であって、
前記写真撮影遊戯装置は、
前記撮影画像をユーザが見る画面上に表示して前記提供画像を生成するための前記撮影画像の切り取り範囲を調整する調整手段と、
前記切り取り範囲に対する前記撮影画像の大きさを調整するためのユーザの拡縮操作を受け付ける拡縮操作受付手段と、
前記切り取り範囲に対する前記撮影画像の角度を調整するためのユーザの回転操作を受け付ける回転操作受付手段とを有し、
前記写真撮影遊戯装置の制御方法は、
前記回転操作受付手段により前記回転操作を受け付ける受け付けステップと、
前記受け付けステップにより受け付けられた前記回転操作に基づいて、前記拡縮操作受付手段により受け付け可能な前記拡縮操作の範囲を調節する調節ステップとを備える、写真撮影遊戯装置の制御方法。
【請求項１０】
カメラにより撮影して得た撮影画像に基づいてユーザに提供する提供画像を生成する写真撮影遊戯装置の制御プログラムであって、
前記写真撮影遊戯装置は、
前記撮影画像をユーザが見る画面上に表示して前記提供画像を生成するための前記撮影画像の切り取り範囲を調整する調整手段と、
前記切り取り範囲に対する前記撮影画像の大きさを調整するためのユーザの拡縮操作を受け付ける拡縮操作受付手段と、
前記切り取り範囲に対する前記撮影画像の角度を調整するためのユーザの回転操作を受け付ける回転操作受付手段とを有し、
前記写真撮影遊戯装置の制御プログラムは、
前記回転操作受付手段により前記回転操作を受け付ける受け付けステップと、
前記受け付けステップにより受け付けられた前記回転操作に基づいて、前記拡縮操作受付手段により受け付け可能な前記拡縮操作の範囲を調節する調節ステップとをコンピュータに実行させる、写真撮影遊戯装置の制御プログラム。
【手続補正２】
【補正対象書類名】明細書
【補正対象項目名】００１２
【補正方法】変更
【補正の内容】
【００１２】
上記目的を達成するためこの発明のある局面に従うと、写真撮影遊戯装置は、カメラにより撮影して得た撮影画像に基づいてユーザに提供する提供画像を生成する写真撮影遊戯装置であって、撮影画像をユーザが見る画面上に表示して提供画像を生成するための撮影画像の切り取り範囲を調整する調整手段と、切り取り範囲に対する撮影画像の大きさを調整するためのユーザの拡縮操作を受け付ける拡縮操作受付手段と、切り取り範囲に対する撮影画像の角度を調整するためのユーザの回転操作を受け付ける回転操作受付手段とを備え、回転操作受付手段は、切り取り範囲に対する撮影画像の初期状態からの回転角を大きくする方向の第１の回転操作と、切り取り範囲に対する撮影画像の初期状態からの回転角を小さくする方向の第２の回転操作とを受け付け、拡縮操作受付手段は、回転操作受付手段により受け付けた回転操作に基づいて、受け付け可能な拡縮操作の範囲を調節する。
【手続補正３】
【補正対象書類名】明細書
【補正対象項目名】００１３
【補正方法】変更
【補正の内容】
【００１３】
好ましくは、調整手段は、回転操作受付手段により第１の回転操作が受け付けられた場合に、自動的に切り取り範囲に対する撮影画像の大きさを大きくする。
【手続補正４】
【補正対象書類名】明細書
【補正対象項目名】００１４
【補正方法】変更
【補正の内容】
【００１４】
好ましくは、拡縮操作受付手段は、回転操作受付手段により第１の回転操作が受け付けられた場合に、受け付け可能な拡縮操作の範囲が小さくなる方向に調節を行う。
【手続補正５】
【補正対象書類名】明細書
【補正対象項目名】００１５
【補正方法】変更
【補正の内容】
【００１５】
好ましくは、拡縮操作受付手段は、回転操作受付手段により第２の回転操作が受け付けられた場合に、受け付け可能な拡縮操作の範囲が大きくなる方向に調節を行う。
【手続補正６】
【補正対象書類名】明細書
【補正対象項目名】００１６
【補正方法】変更
【補正の内容】
【００１６】
好ましくは、写真撮影遊戯装置は、切り取り範囲に対する撮影画像の角度と、拡縮操作受付手段により受け付け可能な拡縮操作の範囲とを初期状態に戻すユーザのリセット操作を受け付けるリセット操作受付手段をさらに備える。
【手続補正７】
【補正対象書類名】明細書
【補正対象項目名】００１７
【補正方法】変更
【補正の内容】
【００１７】
好ましくは、回転操作受付手段は、画面上に、レール部分の画像とレール部分に沿ってスライド可能なつまみ部分の画像とを含む回転バーを表示し、回転操作は、つまみ部分の画像をレール部分に沿ってスライドさせる操作である。
【手続補正８】
【補正対象書類名】明細書
【補正対象項目名】００１８
【補正方法】変更
【補正の内容】
【００１８】
好ましくは、拡縮操作受付手段は、画面上に、受け付け可能な拡縮操作の範囲を示す表示を行う。
【手続補正９】
【補正対象書類名】明細書
【補正対象項目名】００１９
【補正方法】変更
【補正の内容】
【００１９】
好ましくは、回転操作受付手段は、撮影画像の種類又は縦横比に応じて、回転操作を受け付けない。
【手続補正１０】
【補正対象書類名】明細書
【補正対象項目名】００２０
【補正方法】変更
【補正の内容】
【００２０】
この発明の他の局面に従うと、写真撮影遊戯装置の制御方法は、カメラにより撮影して得た撮影画像に基づいてユーザに提供する提供画像を生成する写真撮影遊戯装置の制御方法であって、写真撮影遊戯装置は、撮影画像をユーザが見る画面上に表示して提供画像を生成するための撮影画像の切り取り範囲を調整する調整手段と、切り取り範囲に対する撮影画像の大きさを調整するためのユーザの拡縮操作を受け付ける拡縮操作受付手段と、切り取り範囲に対する撮影画像の角度を調整するためのユーザの回転操作を受け付ける回転操作受付手段とを有し、写真撮影遊戯装置の制御方法は、回転操作受付手段により回転操作を受け付ける受け付けステップと、受け付けステップにより受け付けられた回転操作に基づいて、拡縮操作受付手段により受け付け可能な拡縮操作の範囲を調節する調節ステップとを備える。
この発明のさらに他の局面に従うと、写真撮影遊戯装置の制御プログラムは、カメラにより撮影して得た撮影画像に基づいてユーザに提供する提供画像を生成する写真撮影遊戯装置の制御プログラムであって、写真撮影遊戯装置は、撮影画像をユーザが見る画面上に表示して提供画像を生成するための撮影画像の切り取り範囲を調整する調整手段と、切り取り範囲に対する撮影画像の大きさを調整するためのユーザの拡縮操作を受け付ける拡縮操作受付手段と、切り取り範囲に対する撮影画像の角度を調整するためのユーザの回転操作を受け付ける回転操作受付手段とを有し、写真撮影遊戯装置の制御プログラムは、回転操作受付手段により回転操作を受け付ける受け付けステップと、受け付けステップにより受け付けられた回転操作に基づいて、拡縮操作受付手段により受け付け可能な拡縮操作の範囲を調節する調節ステップとをコンピュータに実行させる。